(57)【要約】  【課題】  持ち運びが容易で、用水路の必要な適所に簡単に設置可能であり、円滑な流水を妨げることなく、上流がわから流下する雑草やその他の浮遊物などだけを効率的に堰き止めて除去することを可能とする新規な用水路除草（除草）技術を提供する。  【解決手段】  Ｕ字溝８１両上端縁８２，８２間に架け渡し可能な長さの支軸棒２の両端に定着機構３，３を組み込むと共に、水路巾内となる範囲内に複数の長歯杆４１，４１，……が、各先端を下枠４２で連結された上、当該支軸２から該下枠４２までを、下流がわから上流がわに斜設配置可能とするよう規制し、しかもそれら各側面形状を上流がわに向けて凹状とする長さ、形状のものに形成された除草枠体４を、当該支軸棒２軸心周りでの回動操作自在に組み込んでなる水路用除草器具１である。【選択図】    図５
2008202285.tif 000002
【特許請求の範囲】
【請求項１】
農業用水路用などに設置されているＵ字溝の両上端縁間に架け渡し可能な長さの支軸棒に対し、その両端には、当該Ｕ字溝上端縁架け渡し箇所を着脱自在に固定するための定着機構を組み込むと共に、それら定着機構の間であって、なお且つ当該Ｕ字溝水路巾内となる部分には、その範囲内に横並び所定間隔置きのフォーク状配置とする複数の長歯杆が、各先端を夫々の横並び間隔規制用の下枠で連結、一体化された上、当該支軸から該下枠までの配置具合を、当該Ｕ字溝両上端縁の支軸棒架け渡し箇所と、それから上流がわにずれた箇所の同Ｕ字溝底面との間に斜設配置可能とするよう規制し、しかもそれら各側面形状を上流がわに向けて凹状とする長さ、形状のものに形成された除草枠体を、当該支軸棒軸心周りでの回動操作自在に組み込んでなるものとしたことを特徴とする水路用除草器具。
【請求項２】
農業用水路用などに設置されているＵ字溝の両上端縁間に架け渡し可能な長さの支軸棒に対し、その両端には、当該Ｕ字溝上端縁架け渡し箇所を着脱自在に固定するための定着機構を組み込むと共に、それら定着機構の間であって、なお且つ当該Ｕ字溝水路巾内となる部分には、該支軸棒に対し回転自在な上枠を装着し、その上枠の範囲内に横並び所定間隔置きのフォーク状配置とする複数の長歯杆の基端を夫々連結し、各長歯杆の夫々の先端が、横並び間隔規制用の下枠で連結、一体化された上、当該支軸上枠から該下枠までの配置具合を、当該Ｕ字溝両上端縁の支軸棒架け渡し箇所と、それから上流がわにずれた箇所の同Ｕ字溝底面との間に斜設配置可能とするよう規制し、しかもそれら各側面形状を上流がわに向けて凹状とする長さ、形状のものに形成された除草枠体を、当該支軸棒軸心周りでの回動操作自在に組み込んでなるものとしたことを特徴とする水路用除草器具。
【請求項３】
除草枠体は、その上枠および下枠に、夫々支軸棒に平行且つ一端がわ寄りに配された案内レール部と、該案内レール部に沿って進退移動自在であって同支軸棒他端がわ寄りに配されたスライダー部とからなる除草幅調節機構を有し、隣接配置となる一対または複数対の長歯杆間距離を自在に変更可能なものとした、請求項２記載の水路用除草器具。
【請求項４】
支軸棒または除草枠体上枠の何れか一方が、その重心付近に吊下フックを有してなるものとした、請求項１ないし３何れか一項記載の水路用除草器具。
【請求項５】
各定着機構は、下向き先鋭状の杭部を、支軸棒に対して回動自在か、または回転不可能に固着するかの何れか一方とするよう一体化、形成して農業用水路のＵ字溝両上端縁外がわとなる地上面に突き刺し、固定可能なものとした、請求項１ないし４何れか一項記載の水路用除草器具。
【請求項６】
各定着機構は、農業用水路のＵ字溝両上端縁に挟着可能な寸法、形状に設定されたクランプを、支軸棒に対して回動自在か、または回転不可能に固着するかの何れか一方とするよう一体化、形成してなるものとした、請求項１ないし４何れか一項記載の水路用除草器具。
【請求項７】
除草枠体は、その適所に回動操作棒装着用の連結筒を縦設、一体化して支軸棒を支点とした下枠がわの回動状、昇降操作を可能なものとした、請求項１ないし６何れか一項記載の水路用除草器具。                                                                                                      
【発明の詳細な説明】
【技術分野】
【０００１】
この発明は、用水路の除草技術に関連するあらゆる分野をその技術分野とするものであり、用水路に簡単に設置することができる除草器具を製造、保管、輸送、展示、販売、設置および利用する技術は勿論のこと、その製造に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                      
【背景技術】
【０００２】
（着目点）
食文化が多様化しているとは言え、我が国の主食が米であることに変わりはなく、北から南まで夫々の気候風土に合った良質の米を効率的に生産するよう、国内全土に亘って近代的な稲作農業が普遍的に行われ続けていて、度重なる区画整理事業等の基盤整備の成果が実り、水田には河川からの用水路を整然と巡らして潤沢な灌漑用水を地域の別なく確保できるようになり、それら各所の水門や除草施設は、地域の水利組合や土地改良区などによって厳重に管理され、用水路周辺の畦畔の除草を行ったり、計画的且つ平等な取水、供給が実行されてきている。
【０００３】
このように多くの稲作農家によって協同、利用される農業用水路は、特に田植えの時期から中間管理の期間に亘り、下流の圃場まで清浄で十分な引き水を得られるよう適正に管理されることになってはいるものの、上流で周辺水稲の日照確保や病害虫の防除、薬剤散布の削減などを目的とした除草作業が行われたときなど、用水路に落下させないよう注意しながら除草しても必ず、刈り払われた雑草の一部が用水中に落ちて下流に流れ去ってしまうことを避け切れず、下流がわに水田を所有する農家は、それら圃場に流入した雑草によって稲作環境に支障を来すことのないよう十分に注意を払わなければならない上、取水口に詰まった雑草によって定常的な給排水が損なわれてしまうことを未然に防止するようにしなければならないなど、それら流下する雑草類の除去作業に余計で多大な労力を費やさざるを得ない実情に有り、そのための安価で効率的に用水路を清浄化できる除草（除草）技術の開発が渇望されている。
【０００４】
（従来の技術）
そうした実情下にも、その打開策となるようなものとして、例えば実開平５−８３０２８号公報「ゴミ除去器」考案として提案されているように、用水路側壁を貫通する取水路出口の平断面コ字型状となる三方を囲う板状部材が設けられ、この板状部材は、複数の小孔が形成された軽量かつ耐腐蝕性を有する板材からなると共に、上端側に把手が設けられており、水田へのゴミの流入量を低減させ、水稲苗のゴミによる傷が低減し、稲を正常に成育させることができ、また、ゴミ除去器の取り扱いが容易で耐用年数が長いという特徴を持つものや、特開平９−７４９３１号公報に開示された「用水路における水田用給水口の目詰まり防止装置」発明のように、給水口が開口する用水路の水路壁に沿って上流側から下流側に向けて該水路壁から漸次離れる様に配する侵入防護体と、この侵入防護体を水路壁に着脱可能に保持する掛止金具とからなり、前記侵入防護体は帯板状を成し、水路壁に当接させた状態で該水路壁に掛止金具を介して取り付ける壁取付部と、この壁取付部から下流側に向けて緩かに立ち上げ屈曲させると共に途中から水路壁と略平行に適宜の間隔をおいて下流側に向けて屈曲解放させたカバー部とから平面略クランク形状に形成し、水田への給水時に、侵入防護体によってゴミや草等の浮遊物の給水口への侵入を防ぐようにしたもの等が散見される。
【０００５】
しかし、前者の「ゴミ除去器」考案は、用水路側壁を貫通する取水路出口となる圃場内がわに設置して使用するものであり、上流がわから流れてくる刈草などの浮遊物を下流がわに流さないように設置することは不可能なものとなっており、例えば、用水路畦畔の除草を行うときに、その下流がわに設置して水路中に落下した雑草類を堰き止め、下流側に流れてしまうのを防止することなどには使用できないという欠点を有するものであり、また、後者の「用水路における水田用給水口の目詰まり防止装置」発明は、用水路内の圃場取水口付近に設置して、上流がわから流下する刈草などの浮遊物を下流側へ誘導し、水田に流入するのを阻止可能とするものであり、用水路を清浄化する効果を発揮できるものではなかった。                                                                                                  
【特許文献１】（１）実開平５−８３０２８号公報    （２）特開平９−７４９３１号公報
【発明の開示】
【発明が解決しようとする課題】
【０００６】
（問題意識）
上述したとおり、従前までに提案のある「ゴミ除去器」考案や「用水路における水田用給水口の目詰まり防止装置」発明などは、何れも用水路から圃場への水口付近に設置し、水田への刈草やその外の浮遊物の流入を阻止可能とするものであり、用水路の上流がわから下流がわへ流れ去ろうとするゴミ類を堰き止めて除去し、灌漑用水全体の清浄化を実現可能とするものとはなっておらず、各圃場毎の取水口、夫々に個別に設置しなければならず、経済的な負担は大きく、しかも用水路下流がわの取水者になるほど刈草やゴミ類の滞積度合いが高まってしまい、不利益を被る虞が強まるという致命的な問題を残すものであった。
【０００７】
（発明の目的）
そこで、この発明は、持ち運びが容易で、用水路の必要な適所に簡単に設置することができ、円滑な流水を妨げることなく、上流がわから流下して来る刈草やその外の浮遊物などだけを効率的に堰き止めて除去することを可能とする新たな用水路除草（除草）技術の開発はできないものかとの判断から、逸速くその開発、研究に着手し、長期に渡る試行錯誤と幾多の試作、実験とを繰り返してきた結果、今回、遂に新規な構造の水路用除草器具を実現化することに成功したものであり、以下では、図面に示すこの発明を代表する実施例と共に、その構成を詳述することとする。                                                                                                
【課題を解決するための手段】
【０００８】
（発明の構成）
図面に示すこの発明を代表する実施例からも明確に理解されるように、この発明の水路用除草器具は、基本的に次のような構成から成り立っている。
即ち、農業用水路用などに設置されているＵ字溝の両上端縁間に架け渡し可能な長さの支軸棒に対し、その両端には、当該Ｕ字溝上端縁架け渡し箇所を着脱自在に固定するための定着機構を組み込むと共に、それら定着機構の間であって、なお且つ当該Ｕ字溝水路巾内となる部分には、その範囲内に横並び所定間隔置きのフォーク状配置とする複数の長歯杆が、各先端を夫々の横並び間隔規制用の下枠で連結、一体化された上、当該支軸から該下枠までの配置具合を、当該Ｕ字溝両上端縁の支軸棒架け渡し箇所と、それから上流がわにずれた箇所の同Ｕ字溝底面との間に斜設配置可能とするよう規制し、しかもそれら各側面形状を上流がわに向けて凹状とする長さ、形状のものに形成された除草枠体を、当該支軸棒軸心周りでの回動操作自在に組み込んでなるものとした構成を要旨とする水路用除草器具である。
【０００９】
この基本的な構成からなる水路用除草器具を、より具体的なものとして示すと、農業用水路用などに設置されているＵ字溝の両上端縁間に架け渡し可能な長さの支軸棒に対し、その両端には、当該Ｕ字溝上端縁架け渡し箇所を着脱自在に固定するための定着機構を組み込むと共に、それら定着機構の間であって、なお且つ当該Ｕ字溝水路巾内となる部分には、該支軸棒に対し回転自在な上枠を装着し、その上枠の範囲内に横並び所定間隔置きのフォーク状配置とする複数の長歯杆の基端を夫々連結し、各長歯杆の夫々の先端が、横並び間隔規制用の下枠で連結、一体化された上、当該支軸上枠から該下枠までの配置具合を、当該Ｕ字溝両上端縁の支軸棒架け渡し箇所と、それから上流がわにずれた箇所の同Ｕ字溝底面との間に斜設配置可能とするよう規制し、しかもそれら各側面形状を上流がわに向けて凹状とする長さ、形状のものに形成された除草枠体を、当該支軸棒軸心周りでの回動操作自在に組み込んでなるものとした構成からなる水路用除草器具となる。                                                                        
【発明の効果】
【００１０】
以上のとおり、この発明の水路用除草器具によれば、農業用水路用などに設置されているＵ字溝の両上端縁間に架け渡し可能な長さの支軸棒を設け、該Ｕ字溝水路巾内となる部分の範囲内に横並び所定間隔置きのフォーク状配置とする複数の長歯杆が、各々の先端を夫々の横並び間隔規制用の下枠で連結、一体化してなるものとし、上流がわで草刈り作業が行われたときに、随時、簡便に農業用水路の草刈り作業箇所よりも下流がわとなる途中箇所に簡便、且つ着脱自在に設置し、用水路中を流下してきた用水を円滑に通過させると共に、刈草およびその外のゴミ等の固形物類のみを含めて効果的に清浄化することができ、従前までであれば、刈草が水田に流入して来るのを防ぐのが非常に困難なこととされてきたが、これを確実に阻止し、刈草の圃場への流入による灌水不良や水稲の倒れ、および、それに起因する病害虫の発生といった弊害を悉く解消することが可能となるという効果を発揮する。
【００１１】
そして、用水路が清浄化した後には、容易に取り外して車載状にして持ち帰って保管することができ、水稲の見回りや農作業のときに常時車載しておけば、用水路中に刈草の流下を発見したときに、直ちに設置することができるという秀れた特徴を有し、高額な設備投資を要する大掛かりな除草機の導入を必要とせず、従来型のように、各水田の水口毎に設置する必要もなくなり、灌水対象となる水田より上流側の用水路に一基またはそれら複数基を縦列状に設置することにより、さらに効率的に除草、除草することができ、除草対象の圃場より下流がわへの刈草やゴミの流下も確実に防ぐことができるという高い効果を発揮するものとなり、したがって、用水路周辺や圃場の草刈り作業を始める前に、予め用水路下流がわに当該水路用除草器具を設置するようにしておけば、刈草を即座に堰き止めて下流がわ用水の流失、汚染現象を未然に防ぐことが可能になるという、これまでにない効果が期待できる。
【００１２】
加えて、支軸棒の両端に、Ｕ字溝上端縁架け渡し箇所の夫々を仮固定するための定着機構が組み込まれたものとし、流水圧による当該水路用除草器具の慮外の移動や、流失を防止することができ、しかもフォーク状配置とした複数の長歯杆の、当該支軸から該下枠までの配置具合を、当該Ｕ字溝両上端縁の支軸棒架け渡し箇所と、それから上流がわにずれた箇所の同Ｕ字溝底面との間に斜設配置可能とするよう規制したものとし、各長歯杆に受ける流下水圧を、Ｕ字溝両上端縁と該Ｕ字溝底面とに分散、伝達可能なものとし、十分な設置強度を得ることができる上、それら長歯杆の各側面形状が上流がわに向けて凹状とする長さ、形状のものに形成された除草枠体を、当該支軸棒軸心周りでの回動操作自在に組み込んでなるものとし、用水中を流下してきた刈草を堰き止めたときに発生する流水圧力を撓うように柔軟に受け止めることができ、秀れた耐久強度と、刈草の高い滞積効果とを実現化することができる。
【００１３】
さらに、除草枠体を、当該支軸棒に対して回転自在な上枠を装着し、その上枠の範囲内に横並び所定間隔置きのフォーク状配置とする複数の長歯杆の基端を夫々連結し、各長歯杆の夫々の先端が横並び間隔規制用の下枠で連結、一体化されたものとなし、各長歯杆基端の上枠を介した支軸棒への連結の故に、同支軸棒に対する除草枠体の回動可能状にした連結部分の強度を格段に高めることが可能となる外、除草枠体における上枠および下枠に、夫々支軸棒に平行且つ一端がわに配された案内レール部と、該案内レール部に沿って進退移動自在であって同支軸棒他端がわに配されたスライダー部とからなる除草幅調節機構を設け、隣接配置となる一対または複数対の長歯杆間距離を自在に変更可能としたものでは、当該除草幅調節機構の案内レール部に対して同スライダー部を進退摺動させ、用水路Ｕ字溝の水路巾に合わせて除草枠体の巾寸法を適宜自在に調節するようにし、寸法の異なる複数種類のＵ字溝に対しても刈草を容易く通過させてしまうような隙間をなくして適正に設置することが可能になるという大きな特徴を発揮する。
【００１４】
さらにまた、支軸棒または除草枠体上枠の何れか一方が、その重心付近に吊下フックを装備するようにしたものでは、倉庫内壁面などへの吊り下げ保管が可能となる外、軽トラックの荷台、鳥居部分などに吊り下げ搭載可能として荷台スペースを失わないものとした上に、灌水期間における用水管理に備えて当該水路用除草器具を日常的に常備、携行するようにし、必要なときには何時でも直ちに農業用水路に設置することができるものとする一方、支軸棒の両端に夫々定着機構を設け、支軸棒の両端をＵ字溝の両上端縁間に架け渡された状態で確りと仮固定し、水路用除草器具の姿勢変化や流失の発生を確実に阻止することができ、特に、下向き先鋭状の杭部が、支軸棒に対して回動自在か、または回転不可能に固着するかの何れか一方とするよう一体化、形成され、農業用水路のＵ字溝両上端縁外がわとなる地上面に突き刺し、固定できるようにしたものでは、Ｕ字溝への設置位置および設置姿勢を決定した後、直ぐ様、各杭部の先鋭状先端を地中に打ち込むことによって簡単且つ迅速に仮固定することができ、より効率的で確実な設置作業を実現化なものとする外、クランプを、支軸棒両端に対して夫々回動自在か、または回転不可能に固着するかの何れか一方とするよう一体化したものでは、各クランプでＵ字溝両上端縁に挟着し、より確実且つ強固に仮固定することができるという秀れた効果が得られるものとなる。
【００１５】
一方、当該除草枠体の適所に、回動操作棒装着用の連結筒を縦設、一体化し、該連結筒自体か、連結筒を一体化した除草枠体がわかの何れかを支軸棒に対して回動可能な構造のものとし、Ｕ字溝の水中に斜設状に設置していた除草枠体に多くの刈草が堰き止められる状況を呈しているときに、当該連結筒に、別途準備した回動操作棒の先端を装着し、支軸棒を支点、回動操作棒の遊端がわを力点、除草枠体下枠がわを作用点とする梃子の原理により、当該回動操作棒の無い状態では水流中に堰き止めた刈草の引き上げが極めて困難になりがちなときでも、連結筒に装着した回動操作棒の簡単な回動操作で、その下枠がわを簡単に溝底から水面方向に昇降操作して除草枠体を水面付近あるいは水面上にまで姿勢を変えて刈草を水面付近あるいは水面上に露にさせることできるから、水路中を流下してくる厄介な刈草（ゴミ）回収作業の効率化および安全性を高め、しかもその労働負担を大巾に軽減することができるという極めて実用的な効果を奏するものとなる。                                                                                  
【発明を実施するための最良の形態】
【００１６】
上記したとおりの構成からなるこの発明の実施に際し、その最良もしくは望ましい形態について説明を加えることにする。
支軸棒は、農業用水路用などに設置されているＵ字溝内に配され、その下枠を同Ｕ字溝底面に達するか、やや浮いた状態となるよう斜設した除草枠体の上端がわを、当該Ｕ字溝の両上端縁間に架け渡し状に設置、支持可能とする機能を果たすものであり、少なくとも設置の対象とするＵ字溝の両上端縁間に架け渡し可能な長さ寸法に設定され、用水路中を流下する用水および堰き止めた刈草などによって増加する流水圧力に耐え、除草枠体上端がわを確りと支持できるよう十分な強度を有するものとし、両端の夫々には、定着機構を着脱自在または着脱不能に組み込まれたものとしなければならず、防錆処理の施された鉄鋼、ステンレス鋼、アルミニウムなどの金属製、硬質プラスチック製、繊維強化プラスチック製、または、それらの金属素材やプラスチック素材の組み合わせによるものなどとすることが可能であり、さらに、Ｕ字溝の両上端縁に接合する範囲に、接触面積を拡大した接合面部を形成したものとすることができ、搬送を妨げない範囲で十分な強度を確保できる直径と、複数種類の用水路幅に対応可能な長さ寸法とに設定されたものとするのが望ましい。
【００１７】
定着機構は、農業用水路用などのＵ字溝の目標箇所に、当該水路用除草器具を簡単に設置、仮固定可能とすると共に、不要時などには用水路からの撤去作業を容易にするという機能を果たすものであって、用水路において水中に没して流水圧力を受ける除草枠体を安全で十分な強度をもって定着できる構造、強度を有するものとしなければならず、その耐久性の見地から防錆処理の施された鉄鋼、ステンレス鋼、アルミニウムなどの金属製、または、硬質プラスチック、繊維強化プラスチックなどのプラスチック製、あるいはそれらの組み合わせなどとすべきであり、具体的には、後述の実施例にも取り上げているように、下向き先鋭状の杭部を、支軸棒に対して回動自在とするか、または回転不可能に固着するかなどの手段で組み込み、用水路であるＵ字溝両上端縁外がわ側近の地中に突き刺し、仮固定可能なものとするか、あるいは、Ｕ字溝両上端縁に挟着可能な寸法、形状に設定されたクランプを、支軸棒に対して回動自在な手段とするか、または回転不可能に固着するかの何れかとなるようなものに形成する。
【００１８】
除草枠体は、用水路のＵ字溝中を流下する流水面上から同Ｕ字溝底面に至る流路断面内に斜設状に配され、上流がわから流下してくる刈草やその他のゴミなど固形状物だけを堰き止め、分別回収する機能を果たし、流水圧力に十分に耐える強度だけではなく、通過しようとする刈草を滞留可能とする隙間寸法の複数の長歯杆を有し、それら長歯杆に刈草やその他のゴミなど固形状物が引っ掛かって掛かる抵抗圧力にも負けない強度を付与したものとしなければならず、当該支軸棒のＵ字溝水路巾内となる部分の範囲内に横並び所定間隔置きのフォーク状配置とする複数の長歯杆が、各先端を夫々の横並び間隔規制用の下枠で連結、一体化されたものとし、支軸棒に対して各長歯杆が互いに固着されたものとしたり、支軸棒と長歯杆とが互いに回動不能に固着されたものとする外、後述の実施例のように、支軸棒に対し回転自在な上枠を装着し、その上枠の範囲内に横並び所定間隔置きのフォーク状配置とする複数の長歯杆の基端を夫々連結し、各長歯杆の夫々の先端が横並び間隔規制用の下枠で連結、一体化されたものとすることなども可能であり、さらに、必要に応じてその重心付近適所に吊下フックを設けたものや、あるいは、適所に回動操作棒装着用の連結筒を縦設、一体化したものとすることが可能であって、防錆処理の施された鉄鋼、ステンレス鋼、アルミニウムなどの金属製、または、硬質プラスチックや繊維強化プラスチックなどの合成樹脂製、あるいは、それらの組み合わせによるものとして形成するのが望ましい。
【００１９】
各長歯杆は、除草枠体の支軸棒から下枠に至る範囲をカバーするものであり、Ｕ字溝中を流下して来る用水中に混在する刈草その他の小形状ゴミ類を堰き止め可能とする機能を果たすものであって、当該Ｕ字溝両上端縁の支軸棒架け渡し箇所と、それから上流がわにずれた箇所の同Ｕ字溝底面との間に斜設配置可能なものとし、しかもそれら各側面形状を上流がわに向けて凹状とする長さ、形状のものに形成され、夫々の先端が横並び間隔規制用の下枠で連結、一体化されたものとし、夫々が流水圧に耐える十分な強度を有するものとしなければならず、例えば、当該支軸棒のＵ字溝水路巾内となる範囲に、各基端がわを回転不能に連結されたものとするか、または、同支軸棒のＵ字溝水路巾内となる範囲に、各基端がわを回転自在に連結されたものとするかの何れかとすることが可能であり、さらにまた、該支軸棒に対し回転自在な上枠を装着し、その上枠の範囲内に各基端を夫々連結したものとすることができる。
【００２０】
除草枠体の下枠は、複数の長歯杆の各先端を夫々の横並び間隔を規制するよう保持すると共に、各長歯杆を介して連結された支軸棒との組み合わせか、または、支軸棒に装着された上枠との組み合わせかの何れかの組み立て構造によって当該除草枠体それ自体の捩れ剛性を高め、より一体化強度に秀れた除草枠体の形成を実現化するという機能を果たすものとし、複数の長歯杆の各先端同士を十分な強度で連結、一体化可能なものとしなければならず、例えば、案内レール部とスライダー部とを形成して除草幅調節機構の一部を形成したものとすることができる。
【００２１】
除草枠体の上枠は、下枠によって各先端が連結された複数の長歯杆における各基端を、互いの間隔が平行状に保てるように連結可能にすると共に、当該除草枠体を支軸棒に対して回転自在に装着可能とする機能を果たすものであり、支軸棒に対して除草枠体を、十分な剛性をもって連結できる強度を有するものとしなければならず、必要に応じてその重心付近に吊下フックを設けたものとしたり、適所に回動操作棒装着用の連結筒を縦設、一体化したものとすることができる外、好ましくは、案内レール部とスライダー部とを形成して除草幅調節機構の一部を形成したものとするのが望ましといえる。
【００２２】
吊下フックは、当該水路用除草器具を倉庫保管するときや、軽トラックなどの車両に搭載するときなどに、吊り下げ状の保管や携行を実現化する機能を果たすものであり、少なくとも一般的な軽トラックの荷台、鳥居部分に吊り下げ可能とする寸法、形状で、しかも該水路用除草器具それ自体の重量を吊り下げ可能とする強度を有するものとしなければならず、吊り下げ対象箇所の傷付きを防止する保護膜や干渉材部を適所に添設したものとすることができ、除草枠体（長歯杆、下枠、上枠）か、支軸棒かの何れか平衡する適所であって、しかも当該水路用除草器具を農業用水路中に設置したときに、該フック部分が流水面上に露出する配置関係とするよう設けたものとするのが望ましい。
【００２３】
連結筒は、用水路Ｕ字溝の水中に没するよう設置された除草枠体に多くの刈草が堰き止められて滞留状となっているときに、回動操作棒の先端を装着し、Ｕ字溝上端縁間に架け渡された支軸棒を支点、回動操作棒の遊端がわを力点、除草枠体下枠がわを作用点とした梃子の原理を活用し得るようにし、水流と滞留物重量とで相当の荷重となる除草枠体を支軸棒回りに容易に回動して滞留物共々上昇操作可能とする機能を果たすものであり、Ｕ字溝中の流水圧力に抗して除草枠体を回動、操作可能とする十分な強度を有するものとしなければならず、回動操作棒の先端を簡単且つ確実に装着できるよう適切な口径、長さ寸法とすべきであり、装着口部分を拡開した漏斗状受け口形状とすることができ、必要に応じて不用意な脱抜を防止できる着脱自在な係合機構を付加したものとすることなどが可能である。
【００２４】
回動操作棒は、その先端を、上記の連結筒に装着した上、同遊端がわを力点、Ｕ字溝上端縁間に架け渡された支軸棒を支点、除草枠体下枠がわを作用点とした梃子の原理による回動操作を実現可能とするための操作杆としての機能を果たし、軽トラックによる輸送や取り扱いが容易であり、当該梃子の原理を十分に発揮可能とする長さ寸法と、作業者が操作し易い直径および形状に形成されたものとしなければならず、できるだけ軽量なものとするのが望ましく、防錆処理が施された鉄鋼、ステンレス鋼、アルミニウムなどの金属製、または強化プラスチックや繊維強化プラスチックなどの合成樹脂製、天然あるいは集成材などの木材製、またはそれらを組み合わせてなるものなどとすることが可能であり、グリップ部を一体形成してしまうか、軟質合成樹脂製または天然ゴム製などのグリップ部品を装着、一体化したものなどとすることが可能であり、連結筒に装着する先端に、不用意な離脱を防止できるよう着脱自在な係合機構を設け、グリップ部付近から円滑的に係脱操作可能な係合操作用入力部を設けたものとすることができる。
【００２５】
除草幅調節機構は、Ｕ字溝の両上端縁間寸法の異なる場所であっても、除草枠体幅寸法が大き過ぎるという理由や、または予め組み立てられたものでは対象となるＵ字溝の内壁と除草枠体との間に大きな隙間が空いてそこから刈草が通過してしまうという理由などから装着不能または除草（その他ゴミ回収）の効果が低下してしまうという課題を解消するよう、当該除草枠体の幅寸法をＵ字溝の内幅寸法に対応させるよう伸縮、調整可能とする機能を果たすものであり、除草枠体上枠および同下枠の夫々を、支軸棒に平行且つ一端がわに配された案内レール部と、該案内レール部に沿って進退移動自在であって同支軸棒他端がわに配されたスライダー部とからなるものとしなければならず、必要に応じて伸縮調節後に案内レール部とスライダー部との相互を、任意の箇所で仮固定可能とする仮固定機構を有するものとすることができ、防錆処理が施された鉄鋼、ステンレス鋼、アルミニウム、黄銅などの金属製、または硬質プラスチック、各種繊維強化プラスチックなどの合成樹脂製、または木材製などによるものとすることができる。
以下では、図面に示すこの発明を代表する実施例と共に、その構造について詳述することとする。                                                                                                          
【実施例１】
【００２６】
図１の水路用除草器具の斜視図、図２の水路用除草器具の正面図、図３の水路用除草器具の側面図、図４の除草枠体幅を縮小させた水路用除草器具の正面図、図５のＵ字溝に設置された水路用除草器具の斜視図、図６の設置利用される水路用除草器具の側面図、図７の軽トラックに搭載した水路用除草器具の斜視図、および、図８の定着機構を形成するクランプの斜視図に示される事例は、農業用水路８用などに設置されているＵ字溝８１の両上端縁８２，８２間に架け渡し可能な長さの支軸棒２に対し、その両端には、当該Ｕ字溝８１上端縁８２，８２架け渡し箇所を着脱自在に固定するための定着機構３，３を組み込むと共に、それら定着機構３，３の間であって、なお且つ当該Ｕ字溝８１水路巾内となる部分には、その範囲内に横並び所定間隔置きのフォーク状配置とする複数の長歯杆４１，４１，……が、各先端を夫々の横並び間隔規制用の下枠４２で連結、一体化された上、当該支軸２から該下枠４２までの配置具合を、当該Ｕ字溝８１両上端縁８２，８２の支軸棒２架け渡し箇所と、それから上流がわにずれた箇所の同Ｕ字溝８１底面８３との間に斜設配置可能とするよう規制し、しかもそれら各側面形状を上流がわに向けて凹状とする長さ、形状のものに形成された除草枠体４を、当該支軸棒２軸心周りでの回動操作自在に組み込んでなる、この発明の水路用除草器具における代表的な一実施例を示すものである。
【００２７】
当該水路用除草器具１は、図１ないし図４中に示すように、設置対象となる農業用水路８用Ｕ字溝８１の両上端縁８２，８２間に架け渡し可能な長さ（５９０ｍｍ）と、十分な強度が得られる直径および肉厚とに設定されたステンレスパイプ製の支軸棒２を有しており、該支軸棒２のＵ字溝８１水路巾内となる長さ寸法中央付近となる範囲には、ステンレス製の長尺ブロック状部品として形成され、その肉厚中央の長尺方向には、該支軸棒２が貫通可能な装着孔を穿設した案内レール部５１、および同案内レール部５１に対して支軸棒２の貫通方向にスライド自在に組み合わせられたスライダー部５２からなる除草幅調節機構５を有する上枠４３が、該支軸棒２を中心に回動自在となるよう装着されている。
【００２８】
当該支軸棒２の両端には、下向き先鋭状のステンレス製杭部３１，３１の各基部がわが、同支軸棒２に対して直交する同一方向、且つ平行状の姿勢とするよう固着一体化され、それら杭部３１，３１の基部端面を、ハンマーなどによる打撃に十分に耐える平面状に仕上げたものからなる定着機構３が設けられている。また、各杭部３１，３１は、支軸棒２の両端に対して熔接その他によって固着された、位置ズレ防止用の係止ディスク、あるいは、環状溝に嵌着されたＥリングなど（双方とも図示せず）によって両がわから挟み込まれ、同支軸棒２軸方向への移動を規制されると共に、同支軸棒２の軸心回りに回転自在に、一体化されたものとすることが可能である。
【００２９】
当該上枠４３は、前述の如くその中央付近から一端がわを除草幅調節機構５案内レール部５１、他端がわを同スライダー部５２とするよう形成されており、図５中に示すように、農業用水路８に設置した場合に、上流がわに向かう前がわ面には、当該Ｕ字溝８１水路巾内となる範囲内に横並び所定間隔（４０ｍｍ）置きのフォーク状配置とする複数の長歯杆４１，４１，……の各上端部が、夫々複数本のリベットまたはボルト・ナットによって結合、一体化されて例えば、該案内レール部５１に二本、スライダー部５２に三本の合計五本の長歯杆４１，４１，……の上端部が、夫々垂れ下がり状に結合されたものとしている。
【００３０】
各長歯杆４１，４１，……は、図１および図５中に示すように、それらの上端がわから下端に亘り、農業用水路８中に没するよう設置されたときに、上流がわに向かう前面が、平断面横転Ｕ字型に幅方向の中央を流線状に突出形成、それとは反対がわとなる下流がわに面する背面がわを平断面横転Ｕ字型の凹欠状に開放したものとなるように形成されており、また、それら長歯杆４１，４１，……は、平断面を円形状または楕円形状のパイプ状（何れも図示せず）に形成することが可能である。
【００３１】
当該上枠４３の、農業用水路８への設置姿勢において下流がわとなる背面であって、当該除草幅調節機構５を最大幅に伸張させたときの重心付近には、側面逆Ｊ字型に折曲形成された吊下フック６を結合、一体化し、さらに、図１ないし図４中に示すように、同背面の重心付近適所に、支軸棒２に対して直交状の配置となる回動操作棒７装着用の連結筒４４が、リベット、ボルト・ナットまたは熔接などによって強固に結合、一体化されたものとしてある。
【００３２】
各長歯杆４１，４１，……の下端は、ステンレス製の長尺角棒状部品に形成された下枠４２における、除草幅調節機構５を形成する案内レール部５１およびスライダー部５２の、夫々農業用水路８に設置するときに上流がわ配置となる前面に、リベットまたはボルト・ナットによって結合され、該案内レール部５１に二本、スライダー部５２に三本の合計五本の長歯杆４１，４１，……の下端を一体化されたものとしている。
【００３３】
さらに、各長歯杆４１，４１，……は、その側面形状が、図３および図５中に示すように、農業用水路８に設置したときに、Ｕ字溝８１両上端縁８２，８２の支軸棒２架け渡し箇所と、それから上流がわに（２００ｍｍ）ずれた箇所の同Ｕ字溝８１底面８３との間に斜設配置可能とするよう規制し、しかもそれら各側面形状を上流がわに向けて凹状とする長さと、折曲または湾曲形状のものに形成され、下枠４２、上枠４３、および各長歯杆４１，４１，……によって除草枠体４を形成したものとなっている。
【００３４】
定着機構３は、前述のように杭部３１，３１を設けたものの外に、図８中に示したようなクランプ３２，３２とすることが可能であり、当該支軸棒２の両端部の夫々に互いに左右対称形状に設けられたものであり、夫々が同支軸棒２軸心方向に沿って摺動、配置調節自在に装着され、用水路幅寸法の異なる複数のＵ字溝８１両上端縁８２に対し、夫々挟着可能な二枚のクランプ板３３，３３を有し、それら二枚のクランプ板３３，３３適所には、双方を板厚方向に貫通する同心状の二つの孔が穿孔され、一方のクランプ板３３の孔には夫々ナット３４，３４が熔接によって固着され、他方のクランプ板３３の各孔から、頭部に操作摘みを有するボルト３５，３５が夫々貫通状に装着、螺合されたものとし、当該支軸棒２の端面には、各クランプ３２，３２の脱落防止用となるフランジ板２１，２１が夫々熔接によって一体化されたものとすることが可能である。
【００３５】
（実施例の作用）
以上のとおりの構成からなるこの発明の水路用除草器具１は、図７中に示すように、その除草枠体４上枠４３の背面がわであって重心付近となる箇所に設けられた吊下フック６を利用して軽トラック９荷台９１の鳥居部９２に吊着状に搭載し、圃場の灌水期間に亘って常時携行することが可能であり、また、灌水期間を過ぎた農閑期には、同吊下フック６を利用して倉庫内の適所に吊り下げ保管することが可能である。
【００３６】
このように携行可能な水路用除草器具１は、利用者が農業用水路８中に刈草が流れ込んでいることを発見したときや、または、利用者自身が農業用水路８周辺の除草作業を行おうとする場合などに、直ちに軽トラック９荷台９１の鳥居部９２から取り外して用水路８の設置目標箇所まで搬送し、図５中に示すとおり、支軸棒２を該Ｕ字溝８１の両上端縁８２，８２間に架け渡し状に配置させ、図１中に示す当該除草枠体４の上枠４３および下枠４２の双方に夫々形成した除草幅調節機構５の案内レール部５１に対し、スライダー部５２をスライド移動させ、該除草枠体４の左右幅を、図２中の最大幅と図４中の最小幅とに示す範囲内で自在に調節し、Ｕ字溝８１の内幅中に収まる適切な寸法に調節した後、図５中に示すように、同除草枠体４を、その長歯杆４１，４１，……の側面形状が上流がわに向けて凹状となる姿勢であって、且つその下枠４２を当該支軸棒２よりも該用水路８Ｕ字溝８１の上流がわに配してＵ字溝８１底面８３に当接状とするよう配置させると共に、該支軸棒２をＵ字溝８１の両上端縁８２，８２間に架け渡し状に配置させた上、同支軸棒２両端の杭部３１，３１各先鋭状の先端がわを、該Ｕ字溝８１両上端縁８２，８２外がわ側近の地中に確りと突き刺して仮固定させ、農業用水路８中を流下する刈草その他ゴミ類除去、回収体制が整うこととなる。
【００３７】
このようにして、農業用水路８中に設置した当該水路用除草器具１は、同図５中の白抜き矢印に示す方向の水流圧力を受けることにより、その除草枠体４長歯杆４１，４１，……の下端に一体化された下枠４２が、Ｕ字溝８１底面８３に強く押し付けられ、同底面８３に支持されることにより、Ｕ字溝８１内で、同Ｕ字溝８１両上端縁８２，８２とそれよりも上流がわの底面８３との間に斜設状のまま安定的に固定されることとなるものであり、この設置状態は、当該支軸棒２両端の杭部３１，３１による地盤、または上端縁８２，８２への固定による定着力と相俟って強い仮固定を実現化するものとなる。
【００３８】
農業用水路８中の範囲内に横並び所定間隔置きのフォーク状配置に配した除草枠体４の複数の長歯杆４１，４１，……は、上流がわから流れてくる刈草を、その他の固形状ゴミ類と共に堰き止め、滞留状として下流がわへの流下を悉く阻止するものであり、しかも各長歯杆４１，４１，……が、上流がわから下流がわに向けて次第に上昇する側面湾曲形状に設定されていて、Ｕ字溝８１の底面８３寄りの長歯杆４１，４１，……下端がわに引っ掛かった刈草類は、水流圧力を受けて次第に水面付近か、または水面上まで自動的且つ強制的に上昇することとなり、除草枠体４に過大な負担が掛かるのを未然に防止すると共に、除草、回収に都合良くする作用を果たすこととなる。なお、必要であれば、複数個の水路用除草器具１，１，……を、Ｕ字溝８１の流水方向に沿って適宜間隔を隔てて縦列配置状に設置するようにして除草効果をより高めるようにすることもできる。
【００３９】
こうして刈草などを堰き止め、滞留状となってしまった水路用除草器具１は、図６中に二点鎖線で示すように、回動操作棒７の先端を、同図６中の黒塗り矢印Ａに示すようにして連結筒４４に装着し、同図６中の実線矢印Ｂに示すように、支軸棒２を支点Ｃ、回動操作棒７の基端を力点Ｄ、除草枠体４下枠４２を、作用点Ｅとする梃子の原理を利用した梃子棒と化し、水分を吸収して重量を増した状態で堰き止められた刈草やその他のゴミ類を、該除草枠体４諸共、軽い操作によって支軸棒２回りに回動させることが可能となり、Ｕ字溝８１の水面Ｗ上まで簡単に持ち上げて回収可能な状態に移行させ、適宜手段でＵ字溝８１の何れかの外側に回収する。
【００４０】
使用を終えた水路用除草器具１は、支軸棒２左右の杭部３１，３１を夫々地上面から引き抜いてから水中に没している除草枠体４を引き上げ、付着しているゴミや泥などを十分に洗い流して水切りした後に、図７中に示すように、軽トラック９荷台９１の鳥居部９２中央付近に当該吊下フック６を介して吊り下げ、簡便に収納して携行または持ち帰ることが可能である。
【００４１】
また、当該支軸棒２の両端に、杭部３１，３１に代えて、図８中に示したように、クランプ３２，３２からなる定着機構３を設けたものでは、当該水路用除草器具１支軸棒２を、Ｕ字溝８１両上端縁８２，８２間に架け渡し状に設置するときに、各クランプ３２，３２の対応する両上端縁８２，８２を、夫々の一対のクランプ板３３，３３，３３，３３によって挟み込み、夫々のボルト３５，３５，３５，３５の頭部、操作摘みを螺合方向に締め付けることによって両上端縁８２，８２に挟着させ、確りと仮固定することが可能となり、支軸棒２両端のフランジ板２１，２１が、左右のクランプ３２，３２の脱抜を阻止して支軸棒２を確りとＵ字溝８１所定箇所に仮固定状とし、また、当該Ｕ字溝８１から取り外すときには、各ボルト３５，３５，３５，３５の頭部の操作摘みを弛緩方向に回転操作して緩めた後に、各クランプ板３３，３３，３３，３３をＵ字溝８１、両上端縁８２，８２から離脱させ、簡単に離脱させることが可能となる。
【００４２】
（実施例の効果）
以上のような構成からなる実施例の水路用除草器具１は、前記この発明の効果の項で記載したとおりの特徴に加え、吊下フック６や連結筒４４といった付属部品類を、除草枠体４上枠４３の、設置姿勢の下流がわとなる面に設けたものとし、農業用水路８に設置したときにも水中に没することがなく、しかも刈草やその他のゴミ類の引っ掛かりや目詰まりを未然に防ぎ、常にその機能を確実に発揮できるよう維持可能とし、刈草の回収作業効率を格段に高めることができという秀れた効果を発揮するものとなる。
【００４３】
さらにまた、除草枠体４の各長歯杆４１，４１，……を、図１および図５中に示したように、上流がわに向かう各前面の平断面形状を夫々の幅方向中央が横転Ｕ字型に膨出した流線形状とし、それとは反対がわとなる背面がわを平断面横転Ｕ字型の凹欠状に開放したものとなし、農業用水路８中に没するよう設置したときに、除草枠体４に生じる水流抵抗を軽減することができ、しかも各長歯杆４１，４１，……の上下端背面に十分な当接面積を確保できることになり、下枠４２および上枠４３の前面に確りと一体化し易くなって一段と軽量で剛性に秀れた水路用除草器具１を提供することができる。
【００４４】
（結  び）
叙述の如く、この発明の水路用除草器具は、その新規な構成によって所期の目的を遍く達成可能とするものであり、しかも製造も容易で、軽量且つ低廉なものとして経済的に生産可能であって、用水路中を流下する刈草その他ゴミ類を効率的に回収、除去することができることから、上流がわから流れ下る刈草類の除去作業に悩まされてきた用水路下流がわに圃場が位置する農家は勿論のこと、用水路上流がわに水田が位置していて、草刈り作業で刈草の一部が用水路に落下して下流がわの農家に負担を掛けてしまうのではないかと危惧する良心的な上流がわ農家にとっても、さらには、同様の問題を抱える各種用水路を管理する団体や企業、一般家庭にも高く評価され、広範に渡って利用、普及していくものになると予想される。                                                                          
【図面の簡単な説明】
【００４５】
図面は、この発明の水路用除草器具の技術的思想を具現化した代表的な幾つかの実施例を示すものである。
【図１】水路用除草器具を示す斜視図である。
【図２】水路用除草器具を示す正面図である。
【図３】水路用除草器具を示す側面図である。
【図４】幅を縮小させた除草枠体を示す正面図である。
【図５】Ｕ字溝に設置された水路用除草器具を示す斜視図である。
【図６】刈草を回収する水路用除草器具を示す側面図である。
【図７】水路用除草器具を搭載した軽トラックを示す斜視図である。
【図８】クランプからなる定着機構を示す斜視図である。
【符号の説明】
【００４６】
１      水路用除草器具
２      支軸棒
２１    同  フランジ板
３      定着機構
３１    同  杭部
３２    同  クランプ
３３    同  クランプ板
３４    同  ナット
３５    同  ボルト
４      除草枠体
４１    同  長歯杆
４２    同  下枠
４３    同  上枠
４４    同  連結筒
５      除草幅調節機構
５１    同  案内レール部
５２    同  スライダー部
６      吊下フック
７      回動操作棒
８      農業用水路
８１    同  Ｕ字溝
８２    同  両上端縁
８３    同  底面
９      軽トラック
９１    同  荷台
９２    同  鳥居部
Ａ      回動操作棒の装着方向矢印
Ｂ      梃子の原理による操作方向矢印
Ｃ      支点（支軸棒）
Ｄ      力点（回動操作棒の基端）
Ｅ      作用点（除草枠体）
Ｗ      用水路の水面
【図１】
2008202285.tif 000003
【図２】
2008202285.tif 000004
【図３】
2008202285.tif 000005
【図４】
2008202285.tif 000006
【図５】
2008202285.tif 000007
【図６】
2008202285.tif 000008
【図７】
2008202285.tif 000009
【図８】
2008202285.tif 000010